(57)【要約】【課題】  径の異なる鉄筋に対応して、鉄筋を保持することができ、かつ、構造が簡単で、製造の手間とコストを大幅に軽減できる鉄筋用スペーサを提供することを目的とする。【解決手段】  コンクリート又はモルタルから成るブロック体５と、一本の線材を折り曲げて形成した保持部材１と、を備え、保持部材１は、ブロック体５の上部に埋設される基部２を有し、基部２から、２種以上の鉄筋の径に対応してそれぞれが２点乃至３点で鉄筋に接触する一対の鉄筋挟持用弾性腕部３，３を連設した。【選択図】  図１
2006104783.tif 000002
【特許請求の範囲】
【請求項１】
コンクリート又はモルタルから成るブロック体（５）と、一本の線材を折り曲げて形成した保持部材（１）と、を備え、該保持部材（１）は、上記ブロック体（５）の上部に埋設される基部（２）を有し、該基部（２）から、２種以上の鉄筋（６）の径に対応してそれぞれが２点乃至３点で該鉄筋（６）に接触する一対の鉄筋挟持用弾性腕部（３)(３）を連設したことを特徴とする鉄筋用スペーサ。
【請求項２】
保持部材（１）が鉄筋（６）を保持した状態に於て、該保持部材（１）の一対の弾性腕部（３)(３）の自由端側に、支持部（４)(４）を、上記鉄筋（６）の軸心方向にかつ互いに逆向きに備えている請求項１記載の鉄筋用スペーサ。
【請求項３】
上記弾性腕部（３）は、上記鉄筋（６）の側面下半部（13）と接触する直線状の第１腹部（８）と、該第１腹部（８）の上端から内方へ折り曲げた第１折曲部（11）と、該第１折曲部（11）の上端に連設されると共に上記鉄筋（６）の側面上半部（14）又は側面横部（15）に近接乃至接触する内方上傾状の第２腹部（９）と、該第２腹部（９）の上端から外方へ折り曲げた第２折曲部（12）と、該第２折曲部（12）の上端に連設されると共に上記鉄筋（６）と接触する倒立Ｕ字状のガイド部（７）と、を有する請求項１又は２記載の鉄筋用スペーサ。
【発明の詳細な説明】
【技術分野】
【０００１】
本発明は、鉄筋コンクリート施工の際に使用する鉄筋用スペーサに関する。
【背景技術】
【０００２】
従来、鉄筋コンクリート施工用のスペーサとして、コンクリート又はモルタルから成るブロック体と、ブロック体の上部に脚部が埋設された鉄筋保持用のキャッチャー（保持部材）を備えたものがあり、その鉄筋保持用のキャッチャーは、鉄筋を挟持する腕部を有していた（特許文献１参照）。
【特許文献１】特開２００１−１９８９１２号公報
【発明の開示】
【発明が解決しようとする課題】
【０００３】
しかし、従来の鉄筋用スペーサは、径の異なる鉄筋に対応することができず、１種類の径の鉄筋しか保持できなかった。そのため、それぞれの鉄筋の径の大きさに合った鉄筋用スペーサを揃えていなければならなかった。また、鉄筋を保持する腕部は、薄い鉄板を弯曲して形成されており、その製造に手間とコストがかかるものだった。
そこで、本発明は、径の異なる鉄筋に対応して、鉄筋を保持することができ、かつ、構造が簡単で、製造の手間とコストを大幅に軽減できる鉄筋用スペーサを提供することを目的とする。
【課題を解決するための手段】
【０００４】
上記目的を達成するために、本発明に係る鉄筋用スペーサは、コンクリート又はモルタルから成るブロック体と、一本の線材を折り曲げて形成した保持部材と、を備え、該保持部材は、上記ブロック体の上部に埋設される基部を有し、該基部から、２種以上の鉄筋の径に対応してそれぞれが２点乃至３点で該鉄筋に接触する一対の鉄筋挟持用弾性腕部を連設したものである。
【０００５】
また、保持部材が鉄筋を保持した状態に於て、該保持部材の一対の弾性腕部の自由端側に、支持部を、上記鉄筋の軸心方向にかつ互いに逆向きに備えているものである。
【０００６】
また、上記弾性腕部は、上記鉄筋の側面下半部と接触する直線状の第１腹部と、該第１腹部の上端から内方へ折り曲げた第１折曲部と、該第１折曲部の上端に連設されると共に上記鉄筋の側面上半部又は側面横部に近接乃至接触する内方上傾状の第２腹部と、該第２腹部の上端から外方へ折り曲げた第２折曲部と、該第２折曲部の上端に連設されると共に上記鉄筋と接触する倒立Ｕ字状のガイド部と、を有する。
【発明の効果】
【０００７】
本発明は、次のような著大な効果を奏する。
本発明に係る鉄筋用スペーサによれば、径の異なる鉄筋に対応して、かつ、安定して鉄筋を保持できる。さらに、構造が簡単で、製造の手間とコストを大幅に軽減できる。
【発明を実施するための最良の形態】
【０００８】
以下、実施の形態を示す図面に基づき本発明を詳説する。
図１〜図６に於て、10は鉄筋用スペーサであり、鉄筋用スペーサは、コンクリート製又はモルタル製のブロック体５と、保持部材１と、から成るものである。また、図１〜図３は、保持部材１が鉄筋を保持していない状態───自由状態───を示し、図４〜図６は、保持部材１が鉄筋６を保持している状態───保持状態───を示す。
【０００９】
図１又は図４に示すように、ブロック体５は、円形の上面部から下方に向かって縮径状に形成され、かつ、下端部は半球状に形成されている。
保持部材１は、横断面円形の一本の線材を折り曲げて形成され、ブロック体５の上部に埋設される基部２と、基部２に連設される一対の鉄筋挟持用弾性腕部３，３と、を有している。
【００１０】
図５及び図６に示すように、一対の弾性腕部３，３は、２種以上の鉄筋６の径に対応し、かつ、それぞれの弾性腕部３は、２点乃至３点で鉄筋６に接触するように成っている。ここでは、２種類の鉄筋６の径に対応した実施例を示し、図５に示す鉄筋６は、図６に示す鉄筋６より小径のものである。なお、この鉄筋６はコンクリート施工用の一般的な鉄筋であり、図５の（小径の）鉄筋６の径と図６の（大径の）鉄筋６の径との組合せは、例えば、10mmと13mm、16mmと19mm、22mmと25mm等の組合せである。
【００１１】
基部２は、略Ｕ字状に形成され、その両端（上端）から一対の弾性腕部３，３が上方へ連設している。
弾性腕部３は、鉄筋６の側面下半部13と接触する直線状の第１腹部８と、第１腹部８の上端から内方へ折り曲げられた第１折曲部11と、を有し、第１折曲部11の上端には、鉄筋６の側面上半部14又は側面横部15に近接乃至接触する内方上傾状の第２腹部９が連設されている。さらに、弾性腕部３は、第２腹部９の上端から外方へ折り曲げた第２折曲部12と、第２折曲部12の上端に連設されると共に鉄筋６と接触する倒立Ｕ字状のガイド部７と、を有している。ガイド部７は、その内側の端部にて、第２折曲部12と連結している。また、第２腹部９は直線状に形成されている。言い換えると、一対の弾性腕部３，３は、基部２の上端から上方へ互いに離れるように延伸する第１腹部８，８を有し、第１腹部８，８の上端に、第１折曲部11，11を介して上方に向かって互いに接近するように延伸する第２腹部９，９を連設し、第２腹部９，９の上端に第２折曲部12，12を介してガイド部７，７が連設されている。
【００１２】
また、図４に示す保持状態に於て、保持部材１の一対の弾性腕部３，３の自由端側に、支持部４，４を、鉄筋６の軸心方向にかつ互いに逆向きに備えている。つまり、支持部４は、ガイド部７の外側の端部に連結されている。
また、弾性腕部３，３の第１腹部８，８の開き角度θ（図２参照）は、径の異なる鉄筋６であっても、保持状態で鉄筋６の下限位置が同じになるように（鉄筋用スペーサ10の設置面から鉄筋６の下限位置までの高さ寸法が同じになるように）設定されている。
【００１３】
基部２の形状はＵ字状に限らず、例えば、Ｖ字状、Ｗ字状、上方に開口した円弧状、また、それ以外の形状であってもよい。
また、ブロック体５は、一般に使用されている形状であればよく、上面部が矩形でかつ下方に向かってテーパ状に細くなる形状や、下端面が平面に形成されている等も含む。
【００１４】
上述した本発明である鉄筋用スペーサの使用方法（作用）について説明する。
まず、コンクリート施工する床等に、（多数個の）鉄筋用スペーサ10を配設する（図示省略）。次に、大径又は小径の鉄筋６を選び、保持部材１の上方からその鉄筋６を保持部材１内に押し込む。この時、鉄筋６は、弾性腕部３，３のガイド部７，７に沿って、弾性腕部３，３を外方へ押し広げながら（下方へ）進み、鉄筋６は、弾性腕部３，３の間に嵌め込まれ、弾性腕部３，３の弾発付勢にて挟持される。
【００１５】
そして、図５又は図６で示す保持状態では、弾性腕部３の第１腹部８は、鉄筋６の側面下半部13と接触し、第２腹部９は、鉄筋６の側面上半部14又は側面横部15と接触している。さらに、支持部４が、鉄筋６の側面上半部14と接触している。このように、弾性腕部３は鉄筋６と３点で接触している。
また、特に、大径の鉄筋６を保持する時に、第２腹部９が鉄筋６と接触しない状態がある。つまり、弾性腕部３が鉄筋６と２点で接触する場合がある。
【００１６】
以上のように、本発明である鉄筋用スペーサは、コンクリート又はモルタルから成るブロック体５と、一本の線材を折り曲げて形成した保持部材１と、を備え、保持部材１は、ブロック体５の上部に埋設される基部２を有し、基部２から、２種以上の鉄筋６の径に対応してそれぞれが２点乃至３点で鉄筋６に接触する一対の鉄筋挟持用弾性腕部３，３を連設したので、２種以上の径の異なる鉄筋６の径に対応して、かつ、安定して鉄筋６を保持できる。さらに、構造が簡単で、製造の手間とコストを大幅に軽減できる。
【００１７】
また、保持部材１が鉄筋６を保持した状態に於て、保持部材１の一対の弾性腕部３，３の自由端側に、支持部４，４を、鉄筋６の軸心方向にかつ互いに逆向きに備えているので、鉄筋６を安定姿勢を保って確実に保持できる。
【００１８】
また、弾性腕部３は、鉄筋６の側面下半部13と接触する直線状の第１腹部８と、第１腹部８の上端から内方へ折り曲げた第１折曲部11と、第１折曲部11の上端に連設されると共に鉄筋６の側面上半部14又は側面横部15に近接乃至接触する内方上傾状の第２腹部９と、第２腹部９の上端から外方へ折り曲げた第２折曲部12と、第２折曲部12の上端に連設されると共に鉄筋６と接触する倒立Ｕ字状のガイド部７と、を有するので、鉄筋６を保持部材１に取り付け易く、かつ、保持部材１は鉄筋６を強固に保持できる。
【図面の簡単な説明】
【００１９】
【図１】本発明の実施の形態を示す斜視図。
【図２】要部正面図である。
【図３】要部側面図である。
【図４】使用状態を示す斜視図である。
【図５】要部正面図である。
【図６】要部正面図である。
【符号の説明】
【００２０】
１  保持部材
２  基部
３  弾性腕部
４  支持部
５  ブロック体
６  鉄筋
７  ガイド部
８  第１腹部
９  第２腹部
11  第１折曲部
12  第２折曲部
13  側面下半部
14  側面上半部
16  側面横部
【図１】
2006104783.tif 000003
【図２】
2006104783.tif 000004
【図３】
2006104783.tif 000005
【図４】
2006104783.tif 000006
【図５】
2006104783.tif 000007
【図６】
2006104783.tif 000008